(57)【要約】【課題】  所望の日に使用された機能の履歴情報をまとめて出力できるスケジュール管理装置を提供する。【解決手段】  使用者が表示部１０の表示内容を参照しつつ操作部１２により所定の年月日を指定すると、履歴管理部２４が機能の使用履歴データから当該指定日付を含むデータを記憶部１４から取得し、そのデータを機能の使用時刻でソートし、ソート結果を表示制御部２２が表示部１０に表示する。【選択図】        図１
2005191975.tif 000002
【特許請求の範囲】
【請求項１】
端末装置の各機能の使用履歴を表示可能なスケジュール管理装置であって、
所定の機能を使用した場合に、該機能を使用した日付データ及び時間データを取得する日時取得手段と、
前記機能に関する所定のデータを取得するデータ取得手段と、
前記データ取得手段が取得したデータを前記日付データ及び時間データとともに記憶する記憶手段と、
前記記憶手段に記憶された前記データを所定の条件に基づきソートするソート手段と、
前記ソートした結果を出力する出力手段と、
を備えることを特徴とするスケジュール管理装置。
【請求項２】
請求項１記載のスケジュール管理装置において、前記日時取得手段と前記データ取得手段とは履歴管理手段に含まれ、前記日付データ、時間データ及び各機能に関する所定のデータは、前記履歴管理手段により取得され、前記記憶手段に書き込まれることを特徴とするスケジュール管理装置。
【請求項３】
請求項１または請求項２記載のスケジュール管理装置において、前記ソート手段が使用する所定の条件が、各機能の使用日時であることを特徴とするスケジュール管理装置。
【請求項４】
端末装置の各機能の履歴を表示可能なスケジュール管理装置の制御方法であって、
所定の機能を使用した場合に、該機能を使用した日付データ及び時間データを取得するステップと、
前記機能に関する所定のデータを取得するステップと、
前記取得したデータを前記日付データ及び時間データとともに記憶するステップと、
前記記憶したデータを所定の条件に基づきソートするステップと、
前記ソートした結果を出力するステップと、
を備えることを特徴とするスケジュール管理装置の制御方法。
【発明の詳細な説明】
【技術分野】
【０００１】
本発明は、端末装置の各機能の使用履歴を表示可能なスケジュール管理装置に関する。
【背景技術】
【０００２】
従来より、携帯電話端末等において、着信履歴、発信履歴等各機能の使用履歴が確認できるものがあった。例えば、下記特許文献１では、携帯電話端末装置に着信した呼の着信履歴を表示する機能を有する携帯電話端末装置が開示されている。
【特許文献１】特開２００３−２８３６４０
【発明の開示】
【発明が解決しようとする課題】
【０００３】
しかし、上記従来の技術においては、携帯端末の機能毎に履歴データを分類し、これを時系列で表示する構成となっており、その日にどのような機能が使用されたかについて、包括的な情報を提供するものではないという問題があった。
【０００４】
本発明は、上記従来の課題に鑑みなされたものであり、その目的は、所望の日に使用された機能の履歴情報をまとめて出力できるスケジュール管理装置を提供することにある。
【課題を解決するための手段】
【０００５】
上記目的を達成するために、本発明は、端末装置の各機能の使用履歴を表示可能なスケジュール管理装置であって、所定の機能を使用した場合に、該機能を使用した日付データ及び時間データを取得する日時取得手段と、前記機能に関する所定のデータを取得するデータ取得手段と、前記データ取得手段が取得したデータを前記日付データ及び時間データとともに記憶する記憶手段と、前記記憶手段に記憶された前記データを所定の条件に基づきソートするソート手段と、前記ソートした結果を出力する出力手段と、を備えることを特徴とする。
【０００６】
また、前記日時取得手段と前記データ取得手段とは履歴管理手段に含まれ、前記日付データ、時間データ及び各機能に関する所定のデータは、前記履歴管理手段により取得され、前記記憶手段に書き込まれることを特徴とする。
【０００７】
また、前記ソート手段が使用する所定の条件は、各機能の使用日時であることを特徴とする。
【０００８】
また、本発明は、端末装置の各機能の履歴を表示可能なスケジュール管理装置の制御方法であって、所定の機能を使用した場合に、該機能を使用した日付データ及び時間データを取得するステップと、前記機能に関する所定のデータを取得するステップと、前記取得したデータを前記日付データ及び時間データとともに記憶するステップと、前記記憶したデータを所定の条件に基づきソートするステップと、前記ソートした結果を出力するステップと、を備えることを特徴とする。
【発明の効果】
【０００９】
本発明によれば、記憶手段に、各機能を実現する複数のプログラムから該各機能が使用された時の日付データ、時間データ及び各機能に関する所定のデータが書き込まれ、そのデータを所定の順序で出力するので、機能にこだわらず、使用した機能の履歴情報をまとめて出力できる。
【発明を実施するための最良の形態】
【００１０】
以下、本発明を実施するための最良の形態（以下、実施形態という）を、図面に従って説明する。
【００１１】
図１には、本発明にかかるスケジュール管理装置を適用した携帯端末の一実施形態の構成のブロック図が示される。図１において、携帯端末は、表示部１０、操作部１２、記憶部１４、時間情報取得部１６、通信部１８及び制御部２０で構成されている。
【００１２】
表示部１０は、例えば液晶ディスプレイ等で構成され、文字データ等のキー入力の内容、各種図形等を表示する。なお、本発明をパーソナルコンピュータ等に適用した場合には、表示部１０をＣＲＴ等で構成することもできる。上記キー入力は、図１の操作部１２により行う。この操作部１２は、例えば携帯端末の操作ボタン等により構成されるが、本発明をパーソナルコンピュータ等に適用した場合には、キーボード、マウス等の領域指定手段、バーコード等により構成することもできる。
【００１３】
記憶部１４は、例えば制御部２０の作業用のＲＡＭ、不揮発性メモリとしてのＥＥＰＲＯＭ、磁気記憶媒体等で構成されており、携帯端末に備えられた各機能を実現する複数のプログラムから、該各機能が使用された時の日付データ、時間データ及び各機能に関する所定のデータ等が書き込まれる。
【００１４】
時間情報取得部１６は、時計等の計時機能を含んだ構成とされており、携帯端末の制御を行う際に必要となる日付データ及び時間データを発生する。
【００１５】
通信部１８は、本発明にかかるスケジュール管理装置を携帯通信端末に適用した場合に使用されるものであり、公知の方法により基地局と通信して携帯通信端末としての通話機能を実現している。なお、本発明をＰＤＡ（パーソナルデジタルアシスタンス）、パーソナルコンピュータ等に適用した場合には、通信部１８は不要である。
【００１６】
制御部２０は、例えばＣＰＵ等で構成され、表示部１０、操作部１２、記憶部１４、時間情報取得部１６及び通信部１８とデータのやり取りを行いながらこれらの動作を制御する。
【００１７】
制御部２０の表示制御部２２は、主として表示部１０に表示される内容を制御する。履歴管理部２４は、端末に備えられた所定の機能を使用した場合、例えば電話の受発信機能を使用した場合に、時間情報取得部１６が発生した日付データ及び時間データを受け取り及び該機能に関する所定のデータを取得して記憶部１４に格納する等所定の処理を制御する。この場合の機能に関する所定のデータの例としては、電話受発信機能では、機能名、通話時間、発信元、発信先、通話料金等のうちの少なくとも１つがあり、メール送受信機能では機能名、本文、発信元、発信先、受信料金等のうちの少なくとも１つがある。履歴管理部２４は、本発明にかかる日時取得手段及びデータ取得手段を含む構成となっている。判定部２６は、上記日付データが指定した日付と一致しているか否か等を判定するための制御を行う。ソート制御部２８は、記憶部１４に記憶された各機能に関する所定のデータを所定の条件に基づきソートする処理を制御する。
【００１８】
図２には、履歴管理部２４が取得した日付データ、時間データ及び各機能に関する所定のデータが格納された記憶部１４の記憶領域の一部の例が示される。図２において、機能名の領域には、端末装置の使用された機能名データが記憶されている。なお、機能名データの代わりに、機能名を識別する識別データ、例えば機能ＩＤ等を記憶する構成としてもよい。また、日付及び時刻の領域には、上記機能が使用された日付データ及び時間データが記憶されている。これらの日付データ及び時間データは、上述したように、時間情報取得部１６が発生し、履歴管理部２４により取得されたデータである。また、機能の詳細データの領域には、上述した各機能に関する所定のデータが記憶される。以上に述べた各種データは、それぞれの機能を使用する度に取得され、記憶部１４に記憶され、配列番号Ｉが付されて管理される。
【００１９】
なお、上記機能の詳細データは、各機能毎に独立して記憶部１４に記憶領域を確保しておき、機能ＩＤ等の識別データを介して図２の配列番号と関連づけてもよい。
【００２０】
図３は、以上に述べたスケジュール管理装置において、端末装置の各機能の使用履歴を表示する際の動作を示すフロー図である。なお、以下に説明するフローは、媒体に格納されたプログラムをＣＰＵが実行して実現してもよい。図３において、使用者が後述する表示部１０の表示内容を参照しつつ操作部１２により所定の年月日を指定すると（Ｓ１）、履歴管理部２４が図２に示された配列の配列番号の変数Ｉに初期値Ｉ０を代入する（Ｓ２）。
【００２１】
次に、履歴管理部２４が配列番号がＩのデータの日付データを上記記憶部１４から取得し（Ｓ３）、判定部２６によりこの日付データがＳ１で指定した日付と一致するか否かが判定される（Ｓ４）。ここで、一致しないと判定されると、配列番号の変数Ｉが１だけインクリメントされ（Ｓ５）、Ｓ３のステップから繰り返す。
【００２２】
一方、Ｓ４において指定日付と日付データとが一致した場合には、履歴管理部２４が配列番号Ｉのデータに含まれる時刻データと機能名データとを記憶部１４から取得し、後述する表示用配列に格納する（Ｓ６）。
【００２３】
以上の動作を配列番号の変数Ｉがその最大値Ｉｍａｘになるまで繰り返す（Ｓ７）。
【００２４】
次に、履歴管理部２４は機能に依存しないスケジュール、例えば予定表その他任意の予定を入力できる画面から入力されていたスケジュールを記憶部１４から取得し、当該スケジュールに対応付けられた時刻データとともに表示用配列に格納する（Ｓ８）。
【００２５】
次に、ソート制御部２８が表示用配列を所定の条件でソートする（Ｓ９）。このソート条件の例としては、各機能の使用時刻（時刻の順等）または機能（予め定めた機能名の順序等）がある。ソート結果は、表示制御部２２により表示部１０に表示される（Ｓ１０）。上記ソート制御部２８が本発明のソート手段に相当する。また、表示部１０及び表示制御部２２が本発明にかかる出力手段を構成する。
【００２６】
図４には、上述した表示用配列の例が示される。この表示用配列も記憶部１４に格納される。図４において、表示用配列には履歴管理部２４が取得した機能名データと該機能を使用した時刻データとが格納されている。この表示用配列は、上記の通り、ソート制御部２８によりソートされ、例えば時刻順等で表示部１０に表示される。
【００２７】
なお、表示部１０に表示された機能名を操作部１２により指定すると、当該機能に関する詳細なデータが表示される構成とするのが好適である。この詳細データは、図２に示された記憶部１４に格納されているものを使用する。
【００２８】
図５（ａ）、（ｂ）、図６（ａ）、（ｂ）には、表示部１０の表示画面の例が示される。図５（ａ）の例では、カレンダーの様式で９月の１ヶ月分の日にちと曜日が表示されている。使用者が所望の日にち、例えば３０日を選択して指定すると、図５（ｂ）に示される履歴画面に遷移し、当該日に使用した機能の使用履歴が、使用時間と機能名の一覧表として表示される。上記日にちの指定は、操作部１２によりカーソルを所望の日に合わせ、決定ボタンを押圧する等の操作により行うことができる。これにより、各機能の使用日時により表示用配列がソートされる。
【００２９】
図５（ｂ）では、ソート制御部２８により各機能の使用日時をソート条件として時間順にソートした結果が示されている。しかし、これに限られるものではなく、例えば、機能順（機能名の五十音順）にソートして表示してもよい。このように、本実施形態においては、所望の日時において使用した各種機能の使用履歴をまとめて表示でき、端末装置の使用履歴を容易に把握することができる。
【００３０】
図５（ｂ）において、操作部１２によりカーソルをいずれか１つ、例えば１５：３０にあわせて決定ボタンを押下すると、図６（ａ）に示されるように、９月３０日、１５：３０における電話着信の詳細データが表示される。図６（ａ）では、着信時間、発信者、発信者電話番号、通話時間、通話料金等の詳細データが表示されている。この詳細データは、図２に示された記憶部１２に格納されているものである。
【００３１】
次に、図６（ａ）に示された画面で「処理」を選択して指定すると、図６（ｂ）の処理画面に遷移する。図６（ｂ）において、発信者への電話発信、電話帳の編集等の処理を選択できる。
【００３２】
なお、図５（ａ）、（ｂ）、図６（ａ）、（ｂ）は本発明の一例であって、画面構成は自由に変更できる。
【００３３】
また、以上に述べた実施形態は、主に本発明を携帯通信端末に適用した例であるが、本発明は、パーソナルコンピュータ、ＰＤＡ等各種の装置に適用可能である。また、上述した制御部２０は、ＣＰＵを中心として構成されたコンピュータであってよく、この場合、メモリカードその他の媒体に格納されたプログラムをＣＰＵが実行することで制御部２０の各機能が実現される。
【図面の簡単な説明】
【００３４】
【図１】本発明にかかるスケジュール管理装置を適用した携帯端末の一実施形態の構成のブロック図である。
【図２】記憶部の記憶領域の一部の例を示す図である。
【図３】図１に示されたスケジュール管理装置において、端末装置の各機能の使用履歴を表示する際の動作を示すフロー図である。
【図４】表示用配列の例を示す図である。
【図５】表示部の表示画面の例を示す図である。
【図６】表示部の表示画面の例を示す図である。
【符号の説明】
【００３５】
１０  表示部、１２  操作部、１４  記憶部、１６  時間情報取得部、１８  通信部、２０  制御部、２２  表示制御部、２４  履歴管理部、２６  判定部、２８  ソート制御部。
【図１】
2005191975.tif 000003
【図２】
2005191975.tif 000004
【図３】
2005191975.tif 000005
【図４】
2005191975.tif 000006
【図５】
2005191975.tif 000007
【図６】
2005191975.tif 000008